(57)【要約】【課題】  不織布を使用することにより、耐久性、耐熱性に優れた電気あんかを提供する。【解決手段】  本発明による電気採暖具は、電源供給の際に熱を発するヒーター線３を備え、前記ヒーター線３の上方に配置された不織布層７と、前記不織布層７の上方に配置されたマイクロファイバー層６とから構成される。本構成より、ヒーター線３から発散する熱による暖かさを持続でき、マイクロファイバー層６による柔らかな肌触りと、不織布層７による耐久性、保温性及び通気性を確保できる。【選択図】図３
2010025366.tif 000002
【特許請求の範囲】
【請求項１】
電源供給されると発熱するヒーター線を有する発熱層を備えた電気採暖具において、前記発熱層の上方に配置された不織布層と、前記不織布層の上方に配置された極めて細い繊維からなるマイクロファイバー層と、から構成したことを特徴とする電気採暖具。
【請求項２】
請求項１記載の電気採暖具であり、前記発熱層は耐熱性で、且つ非導電性の毛布間に前記ヒーター線を配設すると共に、前記ヒーター線間に位置する前記毛布を縫合したことを特徴とする電気採暖具。
【請求項３】
請求項２記載の電気採暖具であり、前記毛布はポリエステルで形成したことを特徴とする電気採暖具。
【発明の詳細な説明】
【技術分野】
【０００１】
本発明は、不織布を使用した電気採暖具に関する。
【背景技術】
【０００２】
従来の電気毛布、電気カーペット、電気あんか等のいわゆる電気採暖具は、一般的に、中綿にスポンジや発泡ウレタン等の素材を使用している。これは、使用者にとって柔らかさをもたらす点にメリットはあるものの、取扱い方法によっては、直ぐに破れてしまうとか、直ぐに弾性を失うといったデメリットがある。
【０００３】
例えば、電気採暖具の一つとしてカーペットがあるが、これについては、下記の特許公開文献１に記載のものが開示されている。
【０００４】
この文献によると、裏面材と発熱体との間に独立発泡ウレタンよりなる空気層を中芯に設けることでクッション性を有する電気採暖具を実現することが記載されている。
【特許文献１】特開平６−１３７５７３号公報
【発明の開示】
【発明が解決しようとする課題】
【０００５】
しかしながら、このような電気採暖具の製品化に際しては、肌触りの良さや、或る程度の耐久性を保持しながら、なお且つ製品の劣化を最小限に抑えることが課題となっていた。
【０００６】
又、柔らかい布地を用いた電気採暖具は、使用されているヒーター線同士が、よじれて互いに近接した場合に異常発熱となり、火災の発生等の事故を招く恐れがある。
【０００７】
本発明は、上記事情を鑑みたもので、シンプルな構造で耐久性、耐熱性、自然な暖かさに優れた電気採暖具を提供することを目的とする。
【課題を解決するための手段】
【０００８】
請求項１記載の電気採暖具は、電源供給されると発熱するヒーター線を有する発熱層を備えた電気暖房器において、前記発熱層の上方に配置された不織布層と、前記不織布層の上方に配置された極めて細い繊維からなるマイクロファイバー層と、から構成したことを特徴とする。
【０００９】
請求項２記載の電気採暖具は、請求項１記載の電気採暖具であり、前記発熱層は耐熱性で、且つ非導電性の毛布間に前記ヒーター線を配設すると共に、前記ヒーター線間に位置する前記毛布を縫合したことを特徴とする。
【００１０】
請求項３記載の電気採暖具は、請求項２記載の電気採暖具であり、前記毛布はポリエステルで形成したことを特徴とする。
【発明の効果】
【００１１】
本発明の電気採暖具は、上記の構成を備えることにより、以下の優れた効果を奏する。
【００１２】
即ち、請求項１に記載の電気採暖具によると、ヒーター線より発散された熱は、発熱層を暖め、保温性、通気性に優れた効果を有する不織布層を介し、羽毛のような柔らかな肌触りを実現するマイクロファイバー層に達する。この不織布の性質として、コシが有り、クッション性も有り、フレキシブルな素材であるので、この不織布を中綿にすることでシワや縮みが生じにくい。この為、足元で使用中に足で蹴り上げることで採暖具が捲り上がるとか、就寝中の使用時に不意な寝返りで採暖具が捲れるといったことが起き難くなる。
【００１３】
この表生地のマイクロファイバー層、中綿の不織布層、底面部の発熱層から構成される三層構造を採ることによって、マイクロファイバー層の持つ極めて細い繊維により、特に荷重が架かる箇所を自然な暖かさで包み込み、羽毛のような柔らかな触感を与え、又、不織布層による型崩れし難い耐久性、熱を隅々まで均一に保つ保温性に加え、更に発熱層の持つ耐熱性、安全性においても極めて高い効果を持続することが可能となる。
【００１４】
請求項２に記載の電気採暖具によると、発熱層は耐熱性で且つ非導電性の毛布で前記ヒーター線を挟み込み、且つ、前記ヒーター線間の毛布を縫合しているので、例えば外部から力が加わったとしても、ヒーター線の位置ずれを防ぐことが可能である。この為、ヒーター線同士の近接による異常な発熱による火災等を防ぐことが出来る。
【００１５】
請求項３に記載の電気採暖具によると、発熱層の毛布は、ポリエステルで形成されるので、コスト面からも優れる。
【発明を実施するための最良の形態】
【００１６】
以下、図面を参照して本発明の最良の実施形態を説明する。但し、以下に示す実施形態は、本発明の技術思想を具体化するための電気採暖具を例示するものであって、本発明をこの電気採暖具に特定することを意図するものではなく、特許請求の範囲に含まれるその他の実施形態のものも等しく適応し得るものである。
【実施例】
【００１７】
本発明の電気採暖具の一実施例として、マット状の電気あんかを使用し、図面に描いて説明する。
【００１８】
図１は、本実施例に係るマット状の電気あんかの上面図、図２は図１における電気あんかを水平方向に切断した断面図、図３は図２のＡ−Ａ線で切断した断面図である。
【００１９】
まず、図１に基づいて説明する。
【００２０】
長方形の本体１の上表面は、マイクロファイバーによって覆れている。マイクロファイバーとは、化学的に組成された極めて細いナイロンやポリエステル等の繊維であり、直径が１デニール（デニールとは繊維およびフィラメント糸の太さを表す単位で長さ９０００ｍ当たりの重さをグラム数で表す。したがってデニール数は数が多いものほど太くなる。）より小さく、木綿と同等以上の吸水性、通気性、保温性を持たせた素材で、羽毛のような柔らかな触感を与える。
【００２１】
ヒーター端子部２は、本体１の裏面に配置される。このヒーター端子部２は、温度調節器（図示せず）との装着が可能である。ヒーター端子部２と温度調節器との取外しが容易なので、電気あんか本体の丸洗いが可能となる。
【００２２】
次に、図２に基づいて説明する。
【００２３】
まず、熱源となるヒーター線３は、後述する電気あんかの底面部を水平方向に蛇行して配線される。このような配線を敷くことで、長方形の本体１の隅々まで均一に熱を伝えることが可能となる。
【００２４】
又、ヒーター線３に平行方向に沿って絡まるように、検知線（図示せず）が配置される。検知線は、ヒーター線３から発せられる熱量によって変化する抵抗値を測定し、温度調節器（図示せず）をコントロールすることでヒーター線３の温度を調節する。
【００２５】
ヒーター線３は、耐熱性に優れ、且つ非導電性のポリエステル地からなる毛布により、挟持されるように配される。又、これら毛布のヒーター線３間は、縫合されている（以下、縫合部４という）。これにより、ヒーター線３の位置ずれを防止できる。
【００２６】
又、ヒーター線３は、図２の上部、下部の点線箇所（ヒーター線調節部５）において、製造時におけるヒーター線３の長さを調整する部分となる。
【００２７】
続いて、図３に基づいて説明する。
【００２８】
表生地は、マイクロファイバー層６となる。マイクロファイバー層６は、前述したマイクロファイバーで構成される。
【００２９】
中綿は、不織布層７で構成される。不織布は、耐久性に優れ、劣化が少ない素材である。又、本不織布は、例えばポリエステル繊維を主体として構成され、厚みは５ミリメートルに達し、このポリエステル繊維間には暖まった空気を溜める保温性も有する。このような不織布で構成される不織布層７は、本体１がよじれた際、隣接して蛇行配線されるヒーター線３が互いに触れ合い、異常な高温になるのを防ぐ。
【００３０】
底面部は、発熱層８で構成される。この部分は発熱体組立（ヒーター組立）とも呼ばれ、ヒーター線３を上下から毛布で挟み込むようになっている。毛布はポリエステル製であり、ヒーター線３間において、上面に配置される毛布１０と下面に配置される毛布１１を縫合している。
【００３１】
縁布端部９は、ポリエステルを使用している。この縁布端部９は、マイクロファイバー層６と不織布層７と発熱層８を縫合する。
【００３２】
以上、説明したように本発明の電気あんかは、中綿に不織布を用いる構造により、耐久性が増し、強度が高くなる。又、不織布を用いることでシワになりにくいのでヒーター線等がよじれて接触する危険性を減少し、安全性が極めて高くなる。
【００３３】
又、マイクロファイバーと不織布を組み合わせることで、ソフトで包みこむような自然な暖かさを持続できる。
【００３４】
さらに上記にも触れたが、中綿の生地に不織布を使用し、表生地にマイクロファイバーと底面部に毛布を用いる三層構造を採ることによって、単に暖かさや、丈夫さといったことが増すばかりか、使い心地においても快適な使用感が得られる。
【００３５】
又、ヒーター端子部８と温度調節器との取外しが容易なので、電気あんか本体の丸洗いが可能なので、いつでも清潔な状態を保つことが出来る。
【００３６】
なお、本発明は特に電気あんかに限定されるものではなく、この特長を生かし、ソファーやマット等に活用できる他、幅広く応用が可能である。
【図面の簡単な説明】
【００３７】
【図１】本発明の一実施例に係る電気あんかの上面図である。
【図２】本発明の一実施例に係る電気あんかの発熱層８を水平方向に切断した断面図である。
【図３】本発明の一実施例に係る電気あんかをＡ−Ａ線で切断した断面図である。
【符号の説明】
【００３８】
１・・・本体
２・・・ヒーター端子部
３・・・ヒーター線
４・・・縫合部
５・・・ヒーター線間調節部
６・・・マイクロファイバー層
７・・・不織布層
８・・・発熱層
９・・・縁布端部
１０・・上面毛布
１１・・下面毛布
【図１】
2010025366.tif 000003
【図２】
2010025366.tif 000004
【図３】
2010025366.tif 000005